(57)【特許請求の範囲】
【請求項１】
収納体の挿入開口を覆う蓋体と、前記蓋体を回動自在に支持するアームと、前記アームを回動自在に支持するシャーシと、前記アームを開蓋方向に回動付勢するばねとを備え、
前記シャーシに対するアームの回動支点を第１軸、アームに対する蓋体の回動支点を第２軸とし、前記第１軸は前記挿入開口の挿入方向と直交する方向の第１の位置と第２の位置の間でシャーシに対してスライド可能となるように形成しており、
前記蓋体の閉蓋時に、蓋体のスライドによって前記第１軸を第１の位置に保持することにより閉蓋状態を保持し、開蓋時に、蓋体をスライドして前記第１軸を第２の位置に保持することにより前記ばねの付勢力で蓋体を回動して開蓋状態とすると共に、当該蓋体を第２軸を中心として更に回動して広角に開蓋可能に構成したことを特徴とする蓋体装置。
【請求項２】
前記蓋体は、閉蓋状態において前記ばねの付勢力に抗して回動阻止する係合部を備え、シャーシには前記係合部を係合保持する係合片を備えたことを特徴とする請求項１記載の蓋体装置。
【請求項３】
前記アームは、左右一対のアーム部材を有し、当該アーム部材は連結部材によって一体に構成したことを特徴とする請求項１記載の蓋体装置。
【請求項４】
前記第１軸は、前記左右アーム部材と一体に構成し、当該第１軸を支持するシャーシの軸受けは長孔を形成しており、当該第１軸はアームと一体でスライド可能に構成したことを特徴とする請求項３記載の蓋体装置。
【請求項５】
前記ばねは、前記第１軸に巻き回し、一端をシャーシに、他端をアーム部材に係合したことを特徴とする請求項１記載の蓋体装置。
【請求項６】
前記シャーシには、前記第１軸を第１の位置及び第２の位置において保持する弾性保持部を有し、第１軸のスライドによって第１の位置と第２の位置に対応して当該弾性保持部の保持位置を切り換えるように構成したことを特徴とする請求項１記載の蓋体装置。
【請求項７】
収納体の挿入方向と平行な機器本体キャビネットの側面とこの側面に直交する上面との角部において、当該角部より一定の範囲で切欠を形成して共通に開口された収納体挿入口を設け、この収納体挿入口を形成する前記切欠を覆う蓋体を有する蓋体装置であって、
前記蓋体を回動自在に支持するアームと、前記アームを回動自在に支持するシャーシと、前記アームを開蓋方向に回動付勢するばねとを備え、
前記シャーシに対するアームの回動支点を第１軸、アームに対する蓋体の回動支点を第２軸とし、前記第１軸は前記上面と平行な方向の第１の位置と第２の位置の間でシャーシに対してスライド可能となるように形成しており、
前記蓋体の閉蓋時に、蓋体のスライドによって前記第１軸を第１の位置に保持することにより閉蓋状態を保持し、開蓋時に、蓋体をスライドして前記第１軸を第２の位置に保持することにより前記ばねの付勢力で蓋体を回動して開蓋状態とすると共に、当該蓋体を第２軸を中心として更に回動して広角に開蓋可能に構成し、この開蓋状態で蓋体と前記機器本体キャビネットの側面に形成した切欠との間より収納体を取り出すように構成したことを特徴とする蓋体装置。
【請求項８】
前記収納体が、半導体メモリカードであり、開蓋時に収納体挿入口に露出するように構成したことを特徴とする請求項１〜７のいずれかに記載の蓋体装置。
【発明の詳細な説明】
【０００１】
【発明の属する技術分野】
本発明は、半導体メモリカード等のように薄型の収納体を収納する機器における挿入開口部を覆う蓋体装置に関するものである。
【０００２】
【従来の技術】
半導体メモリカード等のカードを収納して取り出す際の蓋体装置は、カードを収納部より取り出す際に、イジェクト機構やイジェクトノブの操作により飛び出させる構造や、カード自体を挿入方向に押圧することによりハートカム機構によりロックと解除を交互に行い飛び出させる構造のもの、等々に対応して、種々の構造のものが提案されており、例えば特開平１０ー８３４３５号公報に記載されたものや、登録実用新案第３００１４１０号に記載されたものがある。
【０００３】
【発明が解決しようとする課題】
このような蓋体装置においては、半導体メモリカードの小型化、特に、切手サイズのものが採用されるようになって、カードと共に機器本体の小型化促進されている。このような中で、カードの着脱を行う蓋体装置にあっては、蓋体の小型化に伴って、カードを摘み出す等の着脱がやりにくいという問題があり、小型化されたカード使用機器において、カードの着脱を容易に行える蓋体装置が要求されている。
【０００４】
本発明は、このような小型化されたカードの収納部を有する機器に対応して、必要最小限の狭い収納部と当該収納部に対応する蓋体の構造において、その小型のカード等の収納体の着脱を容易に行い、かつ閉蓋を確実に行い得る蓋体装置を提供することを目的としてなされたものである。
【０００５】
【課題を解決するための手段】
従来の課題を解決するために本発明の蓋体装置は、収納体の挿入開口を覆う蓋体と、前記蓋体を回動自在に支持するアームと、前記アームを回動自在に支持するシャーシと、前記アームを開蓋方向に回動付勢するばねとを備え、前記シャーシに対するアームの回動支点を第１軸、アームに対する蓋体の回動支点を第２軸とし、前記第１軸は前記挿入開口の挿入方向と直交する方向の第１の位置と第２の位置の間でシャーシに対してスライド可能となるように形成しており、前記蓋体の閉蓋時に、蓋体のスライドによって前記第１軸を第１の位置に保持することにより閉蓋状態を保持し、開蓋時に、蓋体をスライドして前記第１軸を第２の位置に保持することにより前記ばねの付勢力で蓋体を回動して開蓋状態とすると共に、当該蓋体を第２軸を中心として更に回動して広角に開蓋可能に構成したものである。
【０００６】
これにより、収納体がカードのように扁平状で、挿入開口が狭い構成であっても、当該収納体が取り出しやすく、しかも閉蓋を確実に行うことができる蓋体装置が得られる。
【０００７】
【発明の実施の形態】
本発明の請求項１に記載の発明は、収納体の挿入開口を覆う蓋体と、前記蓋体を回動自在に支持するアームと、前記アームを回動自在に支持するシャーシと、前記アームを開蓋方向に回動付勢するばねとを備え、前記シャーシに対するアームの回動支点を第１軸、アームに対する蓋体の回動支点を第２軸とし、前記第１軸は前記挿入開口の挿入方向と直交する方向の第１の位置と第２の位置の間でシャーシに対してスライド可能となるように形成しており、前記蓋体の閉蓋時に、蓋体のスライドによって前記第１軸を第１の位置に保持することにより閉蓋状態を保持し、開蓋時に、蓋体をスライドして前記第１軸を第２の位置に保持することにより前記ばねの付勢力で蓋体を回動して開蓋状態とすると共に、当該蓋体を第２軸を中心として更に回動して広角に開蓋可能に構成したものであり、その広角に開放した挿入開口部に突出した収納体を摘んで取り出すことができるという作用を有する。
【０００８】
請求項２に記載の発明は、前記蓋体は、閉蓋状態において前記ばねの付勢力に抗して回動阻止する係合部を備え、シャーシには前記係合部を係合保持する係合片を備えたものであり、閉蓋状態の蓋体をシャーシに確実に係合保持できるという作用を有する。
【０００９】
請求項３に記載の発明は、前記アームは、左右一対のアーム部材を有し、当該アーム部材は連結部材によって一体に構成したものであり、左右一体でアームの回動が安定して回動できるという作用を有する。
【００１０】
請求項４に記載の発明は、前記第１軸は、前記左右アーム部材と一体に構成し、当該第１軸を支持するシャーシの軸受けは長孔を形成しており、当該第１軸はアームと一体でスライド可能に構成したものであり、開閉動作時の蓋体のスライド操作を安定に行うことができるという作用を有する。
【００１１】
請求項５に記載の発明は、前記ばねは、前記第１軸に巻き回し、一端をシャーシに、他端をアーム部材に係合したものであり、取付及び構造が簡単であるという作用を有する。
【００１２】
請求項６に記載の発明は、前記シャーシには、前記第１軸を第１の位置及び第２の位置において保持する弾性保持部を有し、第１軸のスライドによって第１の位置と第２の位置に対応して当該弾性保持部の保持位置を切り換えるように構成したものであり、閉蓋時と開蓋時における第１軸の保持を確実に行うことができるという作用を有する。
【００１３】
請求項７に記載の発明は、収納体の挿入方向と平行な機器本体キャビネットの側面とこの側面に直交する上面との角部において、当該角部より一定の範囲で切欠を形成して共通に開口された収納体挿入口を設け、この収納体挿入口を形成する前記切欠を覆う蓋体を有する蓋体装置であって、前記蓋体を回動自在に支持するアームと、前記アームを回動自在に支持するシャーシと、前記アームを開蓋方向に回動付勢するばねとを備え、前記シャーシに対するアームの回動支点を第１軸、アームに対する蓋体の回動支点を第２軸とし、前記第１軸は前記上面と平行な方向の第１の位置と第２の位置の間でシャーシに対してスライド可能となるように形成しており、前記蓋体の閉蓋時に、蓋体のスライドによって前記第１軸を第１の位置に保持することにより閉蓋状態を保持し、開蓋時に、蓋体をスライドして前記第１軸を第２の位置に保持することにより前記ばねの付勢力で蓋体を回動して開蓋状態とすると共に、当該蓋体を第２軸を中心として更に回動して広角に開蓋可能に構成し、この開蓋状態で蓋体と前記機器本体キャビネットの側面に形成した切欠との間より収納体を取り出すように構成したものであり、広角に開蓋した蓋体とキャビネットの切欠とによって構成される空間において収納体を容易に摘み出すことができるという作用を有する。
【００１４】
請求項８に記載の発明は、前記収納体が、半導体メモリカードであり、開蓋時に収納体挿入口に露出するように構成したものであり、扁平状で挿入開口が狭い構成であっても、当該収納体が取り出しやすいという作用を有する。
【００１５】
（実施の形態１）
図１は本発明の第１の実施の形態における蓋体装置を採用した半導体メモリプレーヤの外観を示し、（ａ）は平面図、（ｂ）は半導体メモリーカード挿入部側の側面図、（ｃ）は図（ａ）を図の下方より見た側面図である。図１において、機器本体部１は側面１ａに半導体メモリーカード挿入部の蓋体２を有し、この蓋体２よりなる挿入部には後で説明する端子部を持った半導体メモリカード３を挿入し、半導体メモリカード３の端子部は後で説明する本体部１内部のコネクタと接続される。本体部１の広い上面１ｂには、プレーヤの動作状態を表示する表示部４が配置され、プレーヤに操作を指示する操作部５には再生と再生停止のためのボタン５ａ、曲送りのためのボタン５ｂ、曲戻しのためのボタン５ｃ、側面１ａに音量調整や切り換え選択のためのボタン５ｄ、５ｅを備えている。また反対側の側面１ｃにはプレーヤの基本的な動作切り換えを行う切り換えスイッチつまみ６、ヘッドホンを接続するジャック７、電池ケースの蓋体８を設けている。
【００１６】
蓋体２よりなる半導体メモリーカード挿入部は、図２以降に詳細に示すように、機器本体１を構成するキャビネットにおいて、半導体メモリーカード３の挿入方向と平行なの側面１ｄとこの側面に直交する上側面１ａとの角部に、当該角部より一定の範囲で切欠１０ａ，１０ｂを形成して共通に開口された収納体挿入口１１を設け、この収納体挿入口１１を蓋体２によって覆うように構成している。蓋体２は、切欠１０ａ，１０ｂを覆うべく、その切欠１０ａ，１０ｂの幅に対応する幅の第１の側面２ａと第２の側面２ｂを有する断面Ｌ字状に形成され、その左右両端に形成した側板２ｃが一対のアーム部材１２により、軸１２ａで回動自在に支持されている。
【００１７】
そして、収納体挿入口１１には半導体メモリーカード３を挿入する収納部１３が設けられ、その奥部には半導体メモリーカード３の端子部と接続されるコネクタが構成されており（図示せず）、半導体メモリーカード３を押圧することにより接続される位置で保持され、再び押圧することにより当該半導体メモリーカード３がばねによりイジェクトされる構成となっている。この構成は、いわゆるハートカムによる押圧−保持−押圧−イジェクト−押圧−保持を繰り返す構成であり、その詳細な説明は周知技術であるのでここでは省略する。
【００１８】
ここで、図９に基づいて半導体メモリカード３について説明する。この実施形態の一例としてたとえば寸法は幅２４×長さ３２×厚さ２．１（ｍｍ）という切手大のものを用いる。メモリカード３はメモリカード上本体３１とメモリカード下本体３２とが合体し、内部の凹部にメモリ素子３ｃやメモリ制御部３ｂを収容する。メモリカード上本体３１の側面には切欠部３３があり、ここに書込可否設定子３４がガイドレール３５に対して摺動可能に嵌着され、図９（ａ）はたとえば書き込み防止状態を示すとすれば、これに爪を掛けて矢印Ａ方向に摺動することによって図９（ｂ）のように書き込み可能状態にできる。再生専用のメモリであれば図（ａ）の状態に固定されたものでよい。長手方向の一端の端子部３ａには端子３６が複数個設けられ、その横に逆挿入防止部３７があり、本体部内部の図示しない形状と係合して表裏逆に挿入しても最後まで挿入できず端子３６と本体部１のコネクタとは電気的に接続されることはない。メモリカード上本体３１の中央部は周辺部より一段凹んでおり、ラベル貼付部３８となっている。
【００１９】
左右一対のアーム部材１２は、本体キャビネットに固定されたシャーシ１４に回動自在に支持された軸１５及び両アーム部材１２間に介在させた連結部材１６によって一体に連結され、一体に回動可能となっている。シャーシ１４は、第１のシャーシ１４ａと第２のシャーシ１４ｂよりなり、第１のシャーシ１４ａを折り曲げて形成した軸受け部１４ｃに長孔１４ｄを形成し、この長孔１４ｄにアーム部材１２の回動軸１５を回動自在に支持している。すなわち、軸１５は挿入開口１１の挿入方向と直交する方向において、長孔１４ｄにより決定される第１の位置と第２の位置の間でシャーシ１４に対してスライド可能となっている。
【００２０】
第１のシャーシ１４ａには、更に、軸受け部１４ｃより延長して下方に形成された折り曲げ部１４ｅを有してアーム部材１２の収納部とし、また左右アーム部材１２間のほぼ中央部に弾性片１４ｆを形成して軸１５を弾性的に保持するように構成している。また、第２のシャーシ１４ｂには、挿入口１１に臨む前面に形成された折り曲げ部１４ｇを形成すると共に、蓋体２の閉蓋状態でその回動を阻止する係合部１４ｈを備えている。ここで、折り曲げ部１４ｅは左右アーム部材１２に対応して両側に設け、弾性片１４ｆは左右アーム部材１２間のほぼ中央部に設け、折り曲げ部１４ｇは左右アーム部材１２間のほぼ全幅にわたり設け、係合部１４ｈは両側に設けている。なお、折り曲げ部１４ｇは、機器本体１の内部に収納されるプリント配線基板１８の端縁を覆う構成となっている。
【００２１】
１７はアームを開蓋方向に回動付勢するばねであり、ねじりコイルばねで構成されて軸１５に巻き回され、その一方は第１のシャーシ１４ａ上に係止され、他方はアーム部材１２の連結部材１６に係止されている。すなわち、アーム部材１２は、このばね１７により常に、蓋体２の開蓋方向（図中反時計方向）に付勢されている。
【００２２】
また、蓋体２の側板２ｃには、前述の第２のシャーシ１４ｂに形成した係合部１４ｈに係合される係合溝２ｄを形成し、蓋体２の閉蓋状態においてばね１７の付勢力に抗して、蓋体２及びアーム部材１２の回動を阻止するように構成している。また、蓋体２の第１の側面２ａの端縁中央部に係合片２ｅを形成しており、閉蓋時に側面１ａ側切欠１０ａの挿入口端縁部１１ａに係合し、閉蓋時に前述の係合部１４ｈに係合される係合溝２ｄと共に、蓋体２の保持を行うようになっている。蓋体２の係合溝２ｄの係合部１４ｈへの係合保持の詳細は、図７に示す蓋体２の側面で示している。また、蓋体２の第１の側面２ａの表面には、リブ状の突部２ｆを有し、蓋体２の開蓋時のスライドにおける手指の掛かりとして利用されるように構成している。
【００２３】
以上のように構成された蓋体装置について、以下その収納動作について説明する。
【００２４】
まず、図４に示す閉蓋状態では、蓋体２は、軸１５が弾性片１４ｆにより保持されて矢印イ方向へ抜けることなく保持され、蓋体２の係合溝２ｄが係合部１４ｈへ係合保持されていることによりばね１７の付勢力に抗して回動阻止されている状態である。この状態で、蓋体２の突部２ｆに手指を掛けて矢印イ方向へスライドさせることにより、軸１５は弾性片１４ｆを撓ませながら長孔１４ｄにガイドされてスライドする。そして、軸１５のスライドが係止される位置で手指の押圧を解除することにより、蓋体２及びアーム部材１２は、ばね１７の付勢力によって、軸１５を中心として矢印ロ方向に回動し、図５に示す状態となる。この状態では、挿入口１１が開口された状態であり、収納部１３に半導体メモリーカード３が収納された状態であれば、この状態で視認することができる。
【００２５】
図５の状態で、蓋体２を、軸１２ａを中心として更に矢印ハ方向に回動することにより、図６に示す状態まで広角に開蓋可能である。この状態では、アーム部材１２は、側面１ａ側切欠１０ａの挿入口端縁部１１ａに当接し、ばね１７の付勢力でこの状態が保持される。この状態は、半導体メモリーカード３が挿入されていない状態が図２、半導体メモリーカード３が挿入されている状態が図３に示す状態であり、半導体メモリーカード３が収納されていれば、これを押圧することにより当該半導体メモリーカード３の保持状態が解除されて、図６に仮想線で示す状態までイジェクトされることとなる。そして、このイジェクトされた半導体メモリーカード３は、図８に示すように、一方の手指１９ａを蓋体２の第２の側面２ｂと半導体メモリーカード３との間に挿入し、当該手指１９ａと他方の手指１９ｂとにより摘み出すことができる。
【００２６】
次に、半導体メモリーカード３を収納する場合は、まず、以上説明した、図４の閉蓋状態から、図２に示す状態まで広角に開蓋した状態とする。この図２に示す状態で、収納部１３に半導体メモリーカード３を挿入し、押圧することによって、この半導体メモリーカード３を収納部１３に保持する。このとき、半導体メモリーカード３の端子は、収納部１３内部に有するコネクタに接続される。この収納状態で、蓋体２を図５に示す状態まで矢印ハと反対方向に回動させ、更に、蓋体２及びアーム部材１２をばね１７の付勢力に抗して、矢印ロ方向と反対方向に回動させて、アーム部材１２を折り曲げ部１４ｅに当接して蓋体２の係合溝２ｄが係合部１４ｈに対向する位置で、蓋体２を矢印イ方向と反対の方向に押し込む。この押し込みにより、軸１５が長孔１４ｄにガイドされてスライドし、軸１５は弾性片１４ｆを変形させながら図４に示す状態で保持される。このとき、蓋体２の係合溝２ｄが係合部１４ｈに係合され、アーム部材１２のばね１７による回動方向の付勢力は阻止され、かつ蓋体２の第１の側面２ａの端縁中央部の係合片２ｅが挿入口端縁部１１ａに係合する。この状態において、半導体メモリーカード３の収納が完了する。
【００２７】
以上説明した作用について要約すると、シャーシ１４に対するアーム１２の回動支点である軸１５を第１軸、アーム１２に対する蓋体２の回動支点である軸１２ａを第２軸とすると、第１軸１５は、挿入開口１１への半導体メモリーカード３の挿入方向と直交する方向において、長孔１４ｄで形成される奥側の第１の位置と開放側の第２の位置の間でシャーシ１４に対してスライド可能となるように形成しており、蓋体２の閉蓋時に、蓋体２のスライドによって第１軸１５を第１の位置に保持することにより閉蓋状態を保持し、開蓋時に、蓋体２をスライドして第１軸１５を第２の位置に保持することによりばね１７の付勢力で蓋体２を回動して開蓋状態とすると共に、当該蓋体２を第２軸１２ａを中心として更に回動して広角に開蓋可能となる。そして、この広角の開蓋状態で蓋体２と前記機器本体キャビネットの側面に形成した切欠１０ａ，１０ｂ部において、半導体メモリーカード３を取り出すことができるものである。また、弾性片１４ｆにより、第１軸１５のスライドによって第１の位置と第２の位置に対応して保持位置を切り換えることができる。
【００２８】
【発明の効果】
以上のように本発明によれば、収納体の挿入開口を覆う蓋体と、前記蓋体を回動自在に支持するアームと、前記アームを回動自在に支持するシャーシと、前記アームを開蓋方向に回動付勢するばねとを備え、前記シャーシに対するアームの回動支点を第１軸、アームに対する蓋体の回動支点を第２軸とし、前記第１軸は前記挿入開口の挿入方向と直交する方向の第１の位置と第２の位置の間でシャーシに対してスライド可能となるように形成しており、前記蓋体の閉蓋時に、蓋体のスライドによって前記第１軸を第１の位置に保持することにより閉蓋状態を保持し、開蓋時に、蓋体をスライドして前記第１軸を第２の位置に保持することにより前記ばねの付勢力で蓋体を回動して開蓋状態とすると共に、当該蓋体を第２軸を中心として更に回動して広角に開蓋可能に構成し、その広角に開放した挿入開口部に突出した収納体を摘んで取り出すことができるものであり、収納体がカードのように扁平状で、挿入開口が狭い構成であっても、当該収納体が取り出しやすく、しかも蓋体の閉蓋を確実に行うことができる蓋体装置が得られるものたである。
【図面の簡単な説明】
【図１】本発明の第１の実施の形態における蓋体装置を採用した半導体メモリプレーヤの外観図
（ａ）は平面図
（ｂ）は半導体メモリーカード挿入部側の側面図
（ｃ）は図（ａ）を図の下方より見た側面図
【図２】同蓋体を広角に開蓋した開蓋状態の斜視図
【図３】同蓋体を広角に開蓋し半導体メモリーカードを収納した開蓋状態の斜視図
【図４】同閉蓋状態の部分断面図
【図５】同アームがばねの付勢力で回動した開蓋状態の断面図
【図６】同蓋体を広角に開蓋した開蓋状態の断面図
【図７】図閉蓋状態の蓋体部の側面を示す部分断面図
【図８】同蓋体を広角に開蓋し半導体メモリーカードを取り出す状態の斜視図
【図９】同半導体メモリの外観を示す斜視図
（ａ）裏面から見た図
（ｂ）表面から見た図
【符号の説明】
１  機器本体
２  蓋体
２ｄ  係合溝
３  半導体メモリーカード
１０ａ，１０ｂ  切欠
１１  挿入開口
１２  アーム部材
１２ａ  軸（第２軸）
１３  収納部
１４  シャーシ
１４ｄ  長孔
１４ｆ  弾性片
１４ｈ  係合部
１５  軸（第１軸）
１６  連結部材
１７  ばね
【図１】
0003702740.tif 000002
【図２】
0003702740.tif 000003
【図３】
0003702740.tif 000004
【図４】
0003702740.tif 000005
【図５】
0003702740.tif 000006
【図６】
0003702740.tif 000007
【図７】
0003702740.tif 000008
【図８】
0003702740.tif 000009
【図９】
0003702740.tif 000010